(57)【要約】【課題】イヤホンケーブル構造を提供することを課題とする。【解決手段】イヤホンケーブル構造であって、第１端と第２端とを備える第１連結スリーブと、第１連結スリーブの第１端に接続され、複数の第１芯線と複数の第２芯線とを備える主ケーブルと、第１連結スリーブの第２端に接続され、複数の第１芯線に接続する複数の第３芯線を備える第１分岐ケーブルと、第１連結スリーブの第２端に接続され、複数の第２芯線に接続する複数の第４芯線を備える第２分岐ケーブルと、第１分岐ケーブルと第２分岐ケーブル間に連結され、これを外すと第１分岐ケーブル及第２分岐ケーブルに分離される薄型留具と、を含む。主ケーブルの軸線断面幅は第１分岐ケーブルと第２分岐ケーブルを合算した後の軸線断面幅に等しい。【選択図】図１
0003182498.tif 000002
【実用新案登録請求の範囲】
【請求項１】
第１端と第２端とを備える第１連結スリーブと、
前記第１連結スリーブの前記第１端に接続され、前記第１連結スリーブ内まで延伸する複数の第１芯線と、複数の第２芯線とを備える主ケーブルと、
前記第１連結スリーブの第２端に接続され、前記第１連結スリーブ内まで延伸すると共に前記第１芯線に電気的に接続する複数の第３芯線を備える第１分岐ケーブルと、
前記第１連結スリーブの第２端に接続され、前記第１連結スリーブ内まで延伸すると共に前記第２芯線に電気的に接続する複数の第４芯線を備える第２分岐ケーブルと、
前記第１分岐ケーブルと前記第２分岐ケーブル間を連結する薄型留具と、を含み、
前記主ケーブルの軸線断面幅は前記第１分岐ケーブルと前記第２分岐ケーブルを合算した後の軸線断面幅に等しいことを特徴とする、
イヤホンケーブル構造。
【請求項２】
前記第１連結スリーブは、第１回路板を更に含み、前記第１芯線と前記第３芯線が前記第１回路板に接続されることで電気的に導通し、前記第２芯線と前記第４芯線が前記第１回路板に接続されることで電気的に導通することを特徴とする請求項１に記載のイヤホンケーブル構造。
【請求項３】
前記第１分岐ケーブル、或いは、前記第２分岐ケーブルに位置する第２連結スリーブを更に含むことを特徴とする請求項１に記載のイヤホンケーブル構造。
【請求項４】
前記第２連結スリーブは、第２回路板を更に含むことを特徴とする請求項３に記載のイヤホンケーブル構造。
【請求項５】
前記薄型留具は、前記第１分岐ケーブルと前記第２分岐ケーブル間の一面に位置する溝を含むことを特徴とする請求項１に記載のイヤホンケーブル構造。
【請求項６】
前記薄型留は、前記第１分岐ケーブルと前記第２分岐ケーブル間の一面に位置する平坦面を更に含むことを特徴とする請求項１に記載のイヤホンケーブル構造。
【請求項７】
前記第１連結スリーブの軸線断面幅は、前記主ケーブルの軸線断面幅より広いことを特徴とする請求項１に記載のイヤホンケーブル構造。
【請求項８】
前記第１芯線と前記第３芯線は、左側ステレオ導線、及び、アース線とし、前記第２芯線と該些第４芯線が右側ステレオ導線、及び、アース線とすることを特徴とする請求項１に記載のイヤホンケーブル構造。
【請求項９】
前記第１芯線と前記第２芯線と前記第３芯線と前記第４芯線を被覆する絶縁外被を更に含むことを特徴とする請求項１に記載のイヤホンケーブル構造。
【請求項１０】
前記絶縁外被は、前記薄型留具を形成することを特徴とする請求項１に記載のイヤホンケーブル構造。
【考案の詳細な説明】
【技術分野】
【０００１】
本考案は、ケーブル構造に関し、特に、イヤホンケーブル構造に関する。
【背景技術】
【０００２】
現在イヤホンコードの多くは、電子製品に応用される。例えば、携帯電話における着信待受或いは一般音楽再生等の器材における音楽の愛聴等に用いられる。
【０００３】
一般イヤホンのケーブルは分離作用の連結ブロック（即ち制御装置）を備え、連結ブロックの上下両側線材が３本のケーブルを形成し、つまり１本の主ケーブルを形成してプラグ端に接続するために用いられ、２本の分岐ケーブルはイヤホン端に接続するために用いられる。
しかしながら、一般主ケーブルの全体断面幅が２本の分岐ケーブルの断面幅より広く、全体重量が重く、並びに抵抗が低いという問題が起きていた。次に、２本の分岐ケーブルも２本の独立した分岐ケーブルとして各々加工して製作し、つまり一回の加工手順により連続する２本の分岐ケーブルを製造して加工手順を簡素化できない問題があった。
【０００４】
よって、如何にしてイヤホンコードの全体重量を減少すると共に抵抗を高め、同時に加工手順を簡素化するかという問題の解決が急務となっていた。
【考案の概要】
【考案が解決しようとする課題】
【０００５】
そこで、本考案は上記の問題点に鑑みて、従来技術に存在しているイヤホンケーブルの全体重量が重く、並びに抵抗が低い問題を解決するためのイヤホンケーブル構造を提供することを目的とする。
【課題を解決するための手段】
【０００６】
本考案の一実施例に係るイヤホンケーブル構造は、第１端と第２端とを備える第１連結スリーブと、第１連結スリーブの第１端に接続され、複数の第１芯線と複数の第２芯線とを備える主ケーブルと、第１連結スリーブの第２端に接続され、複数の第１芯線に接続する複数の第３芯線を備える第１分岐ケーブルと、第１連結スリーブの第２端に接続され、複数の第２芯線に接続する複数の第４芯線を備える第２分岐ケーブルと、第１分岐ケーブルと第２分岐ケーブル間に連結され、これを外すと第１分岐ケーブル及第２分岐ケーブルに分離される薄型留具と、を含む。主ケーブルの軸線断面幅は第１分岐ケーブルと第２分岐ケーブルを合算した後の軸線断面幅に等しい。
【考案の効果】
【０００７】
本考案は、主ケーブルの軸線断面幅が第１分岐ケーブルと第２分岐ケーブルを合算した後の軸線断面幅に等しいこと及び薄型留具の外しを介して第１分岐ケーブルと第２分岐ケーブルを分離できることにより、内部芯線が絶縁外被の保護を確保するという前提の下、イヤホンケーブル構造の全体重量を減少すると共に抵抗を高め、並びに加工手順を簡素化する効果を奏する。
【図面の簡単な説明】
【０００８】
【図１】本考案に係る第１の実施例の外観図である。
【図２Ａ】図１のａ−ａ断面を示す断面図である。
【図２Ｂ】図１のａ−ａ断面の別の形態を示す断面図である。
【図３】図１のｂ−ｂ断面を示す断面図である。
【図４】本考案に係る第１連結スリーブの断面拡大図である。
【図５】本考案に係る第２連結スリーブ外観図である。
【図６】本考案に係る第２連結スリーブの断面図である。
【図７】本考案に係る第１の実施例使用時様子の外観図である。
【図８】本考案に係るフラットケーブル形態の外観図である。
【考案を実施するための形態】
【０００９】
図１は、本考案の第１の実施例に係るイヤホンケーブル外観図である。図２ａは図１に基づくａ−ａ断面を示す断面図である。図３は図１に基づくｂ−ｂ断面を示す断面図である。
【００１０】
図１、図２ａ及び図３に示すようにイヤホンケーブル構造１は、第１連結スリーブ５１と主ケーブル１１と第１分岐ケーブル２１と第２分岐ケーブル３１と薄型留具４１と、を含む。
【００１１】
図１、図４を参照しながら説明する。第１連結スリーブ５１は第１端５１１と第２端５１２とを備え、主ケーブル１１と第１分岐ケーブル２１と第２分岐ケーブル３１との間に位置し、且つプラスチック素材からなる。そして、第１連結スリーブ５１のＸ軸方向の断面幅は主ケーブル１１のＸ軸方向の断面幅より広い。
本実施例において第１連結スリーブ５１は第１回路板５３を更に含む。第１回路板５３に制御チップ５５が設けられ、複数の第１芯線１２と複数の第３芯線２２は溶接方法で第１回路板５３の上下両側に接続され、第１回路板５３を通じて互いに接続して電気的導通を形成する。
且つ、複数の第２芯線１３と複数の第４芯線３２は溶接方法で第１回路板５３の上下両側に接続され、第１回路板５３を通じて互いに接続して電気的導通を形成する。いくつかの実施例において、第１連結スリーブ５１は音声の大きさ、曲或いは着信待受モードの切り替え等の操作機能を制御するための制御ボタン（図示略）を含む。
【００１２】
図３を参照しながら説明する。主ケーブル１１は第１連結スリーブ５１の第１端５１１に接続され、主に複数の第１芯線１２と複数の第２芯線１３からなる。且つ複数の第１芯線１２と複数の第２芯線１３は銅材質からなるケーブルタイプとする。そこで、主ケーブル１１は、複数の第１芯線１２と複数の第２芯線１３を被覆するための絶縁外被６１を含み、つまり絶縁外被６１が第１連結スリーブ５１縁部（図４に示す）に位置し、複数の第１芯線１２と複数の第２芯線１３が第１連結スリーブ５１内まで延伸する。ただし、これに限定されず、絶縁外被６１も第１連結スリーブ５１内までに延伸して位置することができる。
このほか、本実施例内の主ケーブル１１は円形断面（つまり丸型ケーブルタイプを構成）とするが、図８に示すようにいくつかの実施形態において主ケーブル１１は矩形断面（つまりフラットケーブルタイプを構成）とすることができる。
【００１３】
図１、図２ａ、図３を参照しながら説明する。第１分岐ケーブル２１は第１連結スリーブ５１の第２端５１２に接続され、主に複数の第３芯線２２からなり、且つ複数の第３芯線２２は銅材質からなるケーブルタイプとする。
ここで、複数の第３芯線２２は第１連結スリーブ５１内までに延伸すると共に複数の第１芯線１２に電気的に接続させる。このほか、第１分岐ケーブル２１は、第１面２１ａと第２面２１ｂとを備える。本実施例において複数の第１芯線１２と複数の第３芯線２２は左側ステレオ導線及びアース線とする。また、第１分岐ケーブル２１は複数の第３芯線２２を被覆する絶縁外被６１を含む。
絶縁外被６１が第１連結スリーブ５１縁部（図４に示す）に位置し、複数の第３芯線２２が第１連結スリーブ５１内まで延伸する。ただし、これに限定されず、絶縁外被６１も第１連結スリーブ５１内までに延伸して位置することができる。
【００１４】
図１、図２ａ、図３を参照しながら説明する。第２分岐ケーブル３１は第１連結スリーブ５１の第２端５１２に接続され、主に複数の第４芯線３２からなり、且つ複数の第４芯線３２が銅材質からなるケーブルタイプとする。
ここで、複数の第４芯線３２は第１連結スリーブ５１内までに延伸すると共に複数の第２芯線１３に電気的に接続させる。このほか、第２分岐ケーブル３１は、第１面３１ａと第２面３１ｂとを備える。本実施例において複数の第２芯線１３と複数の第４芯線３２は右側ステレオ導線及びアース線とする。
【００１５】
本実施例においては、複数の第１芯線１２と複数の第３芯線２２の断面幅が同じで、複数の第２芯線１３と複数の第４芯線３２の断面幅が同じである。
【００１６】
図１、図２ａ及び図３を参照しながら説明する。本実施例において図２ａの第１分岐ケーブル２１と第２分岐ケーブル３１を合算した後のＸ軸方向の断面幅Ｄ１は図３の主ケーブル１１のＸ軸方向の断面幅Ｄ２に等しく、つまり第１分岐ケーブル２１の全体幅は主ケーブル１１の全体幅の半分で、第２分岐ケーブル３１の全体幅が主ケーブル１１の全体幅の半分である。
例えば、１本の３．０ｍｍの主ケーブル１１は、１本の１．５ｍｍの第１分岐ケーブル２１、１本の１．５ｍｍの第２分岐ケーブル３１に分けることができる。そこで、第２分岐ケーブル３１は複数の第４芯線３２を被覆する絶縁外被６１を含む。絶縁外被６１が第１連結スリーブ５１縁部（図４に示す）に位置し、複数の第４芯線３２が第１連結スリーブ５１内まで延伸する。ただし、これに限定されず、絶縁外被６１も第１連結スリーブ５１内までに延伸して位置することができる。本実施例においてプラグ端８１に接続するための１本の主ケーブル１１と、イヤホン端９１に接続するための第１分岐ケーブル２１と第２分岐ケーブル３１を形成する。
【００１７】
図２ａ及び図７を参照しながら説明する。薄型留具４１は第１分岐ケーブル２１と第２分岐ケーブル３１との間を接続させる。利用者は第１分岐ケーブル２１と第２分岐ケーブル３１を逆方向に向かって引っ張ると、薄型留具４１が外れて第１分岐ケーブル２１及び第２分岐ケーブル３１を分離させることができる。本実施例において薄型留具４１は、第１分岐ケーブル２１と第２分岐ケーブル３１間の第１面２１ａ／３１ａ、第２面２１ｂ／３１ｂ（つまり図２ａの第１分岐ケーブル２１と第２分岐ケーブル３１の上下表面）に位置する複数の溝４２を備える。
【００１８】
薄型留具４１が、第１分岐ケーブル２１と第２分岐ケーブル３１間の第１面２１ａ／３１ａ、第２面２１ｂ／３１ｂに位置する複数の溝４２を備えることについての前述の説明は、例として挙げただけであって、いくつかの実施形態においては、溝４２は第１分岐ケーブル２１と第２分岐ケーブル３１間の一面に位置することができ、図２ｂに示すように溝４２は第１分岐ケーブル２１と第２分岐ケーブル３１間の第１面２１ａ／３１ａに位置する。
しかし、いくつかの実施例において溝４２も第１分岐ケーブル２１と第２分岐ケーブル３１間の第２面２１ｂ／３１ｂ（図示略）に位置することができ、且つ第１分岐ケーブル２１と第２分岐ケーブル３１間の他面が平坦面４３とすることができる。
【００１９】
そこで、薄型留具４１は絶縁外被６１からなる。本実施例において主ケーブル１１と第１分岐ケーブル２１と第２分岐ケーブル３１は加工を経て絶縁外被６１に付着する時、直接第１分岐ケーブル２１と第２分岐ケーブル３１間に薄型留具４１が形成される。しかし、いくつかの実施例において薄型留具４１もその他構造を通じて第１分岐ケーブル２１と第２分岐ケーブル３１間に連結させることができ、本考案はこれに限定されない。
【００２０】
図５、図６を参照しながら説明する。いくつかの実施例においてイヤホンケーブル構造１は、プラスチック素材で製造した第２連結スリーブ５２を更に含む。ここで、第２連結スリーブ５２は第１分岐ケーブル２１に位置する。しかし、いくつかの実施例において第２連結スリーブ５２は第２分岐ケーブル３１に位置することができ、本考案はこれに限定されない。
いくつかの実施例において第２連結スリーブ５２は制御チップ５５を備えた第２回路板５４（例えば前記第１回路板５３）を含むことができる。第２連結スリーブ５４が第１分岐ケーブル２１に設けられた時、複数の第３芯線２２を二セグメントに分けて第２回路板５４上下両側に接続する。いくつかの実施例において第２連結スリーブ５２は制御ボタンを備える。この制御ボタンで曲或いは着信待受モード等の操作機能を切り替えることについては先に述べている。
【００２１】
本考案は、主ケーブルの軸線断面幅が第１分岐ケーブルと第２分岐ケーブルを合算した後の軸線断面幅に等しいこと及び薄型留具の外しを介して第１分岐ケーブルと第２分岐ケーブルを分離できることにより、内部芯線が絶縁外被の保護を確保するという前提の下、イヤホンケーブル構造の全体重量を減少すると共に抵抗を高め、並びに加工手順を簡素化する効果を奏する。
本考案の技術的内容は、好ましい実施例で上記の通り開示したが、そのような実施例により本考案の保護範囲が限定されるべきものではなく、当業者は本考案の精神から離れることなく種々の変更及び改変を為し得る。これらは、本考案の範囲に含めるべきである。よって本考案の保護範囲は、本明細書に添付する実用新案登録請求の範囲で定義しているものを基準とする。
【符号の説明】
【００２２】
１      イヤホンケーブル構造
１１    主ケーブル
１２    第１芯線
１３    第２芯線
２１    第１分岐ケーブル
２１ａ  第１面
２１ｂ  第２面
２２    第３芯線
３１    第２分岐ケーブル
３１ａ  第１面
３１ｂ  第２面
３２    第４芯線
４１    薄型留具
４２    溝
４３    平坦面
５１    第１連結スリーブ
５１１  第１端
５１２  第２端
５２    第２連結スリーブ
５３    第１回路板
５４    第２回路板
５５    制御チップ
６１    絶縁外被
８１    プラグ端
９１    イヤホン端
Ｘ      軸線
Ｄ１／Ｄ２  幅
【図１】
0003182498.tif 000003
【図２Ａ】
0003182498.tif 000004
【図２Ｂ】
0003182498.tif 000005
【図３】
0003182498.tif 000006
【図４】
0003182498.tif 000007
【図５】
0003182498.tif 000008
【図６】
0003182498.tif 000009
【図７】
0003182498.tif 000010
【図８】
0003182498.tif 000011